(57)【要約】    【課題】  キャプチャ画像内の欠陥が検出され、修正されたことを示し、さらに施されたエンハンスメント、修正のタイプを示す。    【解決手段】  本発明は、画像化または写真仕上げのサービスを提供する方法およびシステムに関する。本発明の方法およびシステムでは、顧客から受け取ったキャプチャ画像は、画像内のいかなる欠陥も検出するよう、スキャンされ、または読み込まれ、さらにその画像は、適切に修正される。顧客に修正に関する情報を提供するために、インデックスプリントは、その上にキャプチャ画像に対応する多数のサムネイル画像を含む形で生成され、さらに、修正画像に対応するサムネイル画像上、またはその近傍に、インディケータが提供される。これにより、修正画像に施された修正のタイプの、可視的指標が供給される。【選択図】  図１
2004312720.tif 000002
【特許請求の範囲】
【請求項１】
画像化サービスを提供する方法であって、
キャプチャ画像に対する画像化サービスを要求する顧客から注文を受け取るステップと、
キャプチャ画像に対応する、多数のサムネイル画像を含む、インデックスプリントを作成するステップと、
前記多数のサムネイル画像のうち、キャプチャ画像内で赤目が検出され、および修正された、サムネイル画像に隣接する赤目アイコンを提供するステップとを含む画像化サービスを提供する方法。
【請求項２】
画像サービスを提供する方法であって、
顧客から画像を受け取るステップと、
前記画像内の欠陥を検出するステップと、
欠陥が検出された前記受け取り画像の画像を修正するステップと、
受け取り画像に対応するサムネイル画像を含む、インデックスプリントを作成するステップと、
修正画像に施された修正のタイプの可視的指標を提供する、修正画像に対応する前記サムネイル画像に隣接するインディケータを提供するステップとを含む画像サービスを提供する方法。
【請求項３】
少なくとも１つは、欠陥が検出され、および修正された修正画像である多数のサムネイル画像と、
少なくとも１つのサムネイル画像の近傍に提供される、修正画像に施された修正のタイプの可視的指標を供給するインディケータとを含むインデックスプリント。
【発明の詳細な説明】
【技術分野】
【０００１】
本発明は、画像に施された修正を表す、肉眼による読み取りが可能なインディケータ、アイコン、またはグラフィカルシンボルをその上に有するインデックスプリント、およびそのインデックスプリントの作成方法に関する。
【背景技術】
【０００２】
メディア上へのディジタルプリントが出現したことにより、画像の出力の品質改良の多くの機会が与えられている。例をあげると、印画紙などの写真メディア上にプリントすることにより、画像が作成される場合、画像の出力の品質は特に重要である。ディジタルプリンタを使用することにより、カメラによる画像撮影の際のフラッシュまたは照明の不足、または、カメラまたは撮影者による他の欠陥を補うための、フィルムからプリントされた画像に対する様々なエンハンスメント、および/または、修正が可能となる。また、ディジタルプリンタの使用により、シャープさにおけるエンハンスメントが可能となり、埃またはすり傷の除去も出来るようになる。また、ディジタルプリンタにより、赤目、トーンスケール、露光、およびノイズに対する修正も可能となる。こうした改良の全てにより、顧客にとっては、消費者に提供された、または提供され得る利益を理解し、認識するのが、時として非常に困難になる場合がある。
【０００３】
特許文献１は、映画記録媒体のどこに画像を格納しているかを示すインディケータを含むインデックスプリントの作成方法を開示している。
【０００４】
特許文献２は、インデックスプリントなどの、写真プリント上に音声アイコンをプリントする装置および方法を開示している。
【０００５】
特許文献３は、画像が、モーションシーケンスおよびサウンドシーケンスに関するデータを含むことを表すインデックスコードを含む、インデックスプリントを示している。
【特許文献１】米国特許第5,689,610号明細書
【特許文献２】米国特許第5,757,468号明細書
【特許文献３】米国特許第5,706,097号明細書
【発明の開示】
【発明が解決しようとする課題】
【０００６】
上述のようなインデックスプリントを使用すると、顧客注文内のあらゆる画像の提示が、サムネイル画像、または小画像(imagette)の形式で可能となり、さらに画像についての特殊情報の表示も可能となる。しかしながら、上述のようなインデックスプリント上に提供される情報は、画像上で修正され、除去され、またはエンハンスされたものについての情報を提供するものではない。より具体的には、上述の特許文献１〜３は、オリジナルのキャプチャ画像が、例えば、赤目の除去、輝度修正され、カラーバランス修正などにより、ディジタル的に修正され、またはエンハンスされたことを示し得るインデックスプリント上のインディケータアイコン、またはグラフィカルシンボルの提供を示したり、または示唆するものではない。
【０００７】
求められているものは、インデックスプリント、および、キャプチャ画像内の欠陥が検出され、および修正されたことを示し、さらに、修正のタイプまたはなされたエンハンスメントを示す、インディケータ、アイコン、またはグラフィカルシンボルを含む、インデックスプリントの作成方法である。
【課題を解決するための手段】
【０００８】
本発明は、顧客注文画像上に画像修正が実行されたことを示し、さらに、その修正のタイプおよび範囲を示すインデックスプリントの、サムネイル画像や小画像上またはその近傍にインディケータを提供する、インデックスプリントおよびインデックスプリントの作成方法を提供する。本発明により、インデックスプリントの対応するサムネイル画像上のアイコンを伴う修正画像が、確認可能となる。本発明の付加的機能は、画像に施されたフィックスまたは修正の数、および修正位置の指標を含む点である。
【０００９】
本発明のインデックスプリントにより、消費者に、消費者の注文画像が修正され、またはエンハンスされたことを、単一の写真プリントを用いて知らせ、さらに画像に施された修正のタイプを示すことが可能となる。
【００１０】
従って、本発明は以下のステップを含む画像化サービス提供方法に関する。キャプチャ画像に対する画像化サービスを求める顧客からの注文を受けるステップ。キャプチャ画像に一致する、多数のサムネイル画像をその上に含むインデックスプリントを作成するステップ。および、多数のサムネイル画像のうち、キャプチャ画像内で赤目が検出され、および修正され、サムネイル画像に隣接する赤目アイコンを提供するステップ。
【００１１】
また、本発明は、以下のステップを含む、画像化サービス提供方法に関する。顧客から画像を受け取るステップ。画像内の欠陥を検出するステップ。欠陥が検出された受け取り画像の画像を修正するステップ。受け取り画像に一致するサムネイル画像を含む、インデックスプリントを作成するステップ。および、修正画像に施された修正のタイプを、可視的指標で提供するインディケータを修正画像に一致するサムネイル画像に隣接して提供するステップ。
【００１２】
さらに本発明は、以下を含むインデックスプリントに関する。少なくとも1つが、欠陥を検出され、および修正された修正画像である、多数のサムネイル画像。および、少なくとも1つのサムネイル画像の近傍に提供される、修正画像に施された修正のタイプの可視的指標を供給するインディケータ。
【００１３】
さらに本発明は、以下のステップを含む、インデックスプリント作成方法に関する。写真プリント上に多数のサムネイル画像を提供するステップ。多数のサムネイル画像のうちのどれが、画像修正の実行された画像であるかを判定するステップ。および、その画像に施された修正のタイプを表す、インディケータを画像修正が実行されたサムネイル画像の近傍に提供するステップ。
【００１４】
さらに本発明は、以下のステップを含む、写真仕上げサービスの提供方法に関する。顧客から写真仕上げ注文を受け取るステップ。写真仕上げ注文に従って写真プリントを提供するステップ。各写真プリント上の画像に一致する多数のサムネイル画像を含むインデックスプリントを作成するステップ。および、多数のサムネイル画像のうち、赤目が検出され、および修正された、サムネイル画像に隣接して赤目アイコンを提供するステップ。
【００１５】
さらに本発明は、以下のステップを含む、写真仕上げ方法に関する。顧客からの露光画像がある写真用フィルムを受け取るステップ。露光済画像内の欠陥を検出するステップ。欠陥が検出された画像の修正ステップを含む露光画像を含む写真プリントを作成するために、写真用フィルムを処理するステップ。写真プリント上の画像に一致するサムネイル画像を含む、インデックスプリントを作成するステップ。および、修正画像に一致するサムネイル画像の近傍に、修正画像に施された修正のタイプを可視的指標で提供するインディケータを提供するステップ。
【発明を実施するための最良の形態】
【００１６】
ここで、同様の参照数字は、複数の図面を通して同一の、または対応する部分を表している図面を参照すると、本発明は、修正インディケータを有するインデックスプリント、および、そのインデックスプリントの作成方法を提供する。本発明のインデックスプリント上に提供されるインディケータは、肉眼で判読可能な方法で、インデックスプリント上の選択画像に施された修正のタイプを表す。従って、本発明のシステムおよび方法の1つの実施例では、顧客は、顧客自身の従来形式の写真プリント、および任意にネガ、および顧客の注文に応じた、他の写真製品を受け取る。写真プリントの処理中に、写真撮影過程に生じたかもしれない欠陥について、画像修正をするよう、選択画像に対して、画像のエンハンスメントおよび/または修正を施すことが出来る。本発明のシステムおよび方法によると、顧客に対して、修正の施された画像に一致するサムネイル画像または小画像上、またはその近傍にインディケータを有する、インデックスプリントがさらに提供される。インディケータは、施された修正のタイプに関する、視覚インディケータを提供する。
【００１７】
ここで図1を参照すると、本発明の1つの実施例では、顧客注文は、露光画像をその上に有する写真用フィルムの処理を伴っている。写真用フィルム処理には、図1に示された装置10が利用可能である。図1に示されたように、装置10は、感光メディア、紙、または材料上にディジタル画像をプリントするように設計可能である。特に装置10は、一般的に写真ミニラボと称されるタイプになり得る。ほとんどのミニラボで典型的なように、顧客画像注文は、感光メディア上への画像のプリントのために提供されている。本発明の目的のために顧客画像注文は、上述のような現像済写真用フィルムのロール、または、多数の画像をその上に含むプリント注文のディジタル記録ファイル(すなわち、インターネットまたはディジタル記憶媒体経由でラボに転送された画像)であってもよい。図示された特定の実施例では、装置10は、現像済フィルム14のロールを受け、スキャンするよう設計されたスキャナ12を含んでいる。顧客画像のディジタル記録を提供するために、現像済フィルム14のロールは、フィルム14上の画像をスキャンするスキャナ12内のセンサ16を通過して送られる。スキャナ12は、インデックスプリントと同様の品質のプリントを提供可能な程度の解像度でスキャンを行う。画像のディジタル記録は、プレプログラムされたように画像を操作する、画像データマネージャ(IDM 18)に送られる。図示された実施例では、IDM 18は、ディジタル記録ファイル内に含まれるディジタル画像の操作に用いられる、コンピュータ(マイクロプロセッサ)を含んでいる。IDM 18は、顧客画像注文のディジタル記録を格納するメモリをさらに含んでいる。
【００１８】
装置10は、本発明では印画紙を含む、感光メディア23のウェブを備えた供給ロール20を含んでいる。切断メカニズム25は、感光メディアのウェブを個々の切断シートに切断するために設けられている。このメカニズム25は、ウェブを、所望のいかなる長さのシートに切断してもよい。図示されていないが、装置10を通る処理経路27に沿い、切断シートを矢印26で示された方向へ進めるための、適切な移送機構が設けられている。特に、切断シートは、切断メカニズム25から露光ゲート28へ輸送され、そこで、ディジタルプリンタ24は、顧客画像注文の個々の画像を、シートが露光ゲート28を通過する際に、個々のシート上にそれぞれ露光する。
【００１９】
ミニラボでは典型的なように、装置10には、切断シートが露光ゲート28を離れた後、こうした装置で通例行われる現像のために、通過する処理部30が設けられている。図示された特定の実施例では、切断シートは、現像液を含む現像ステーション31、および漂白/定着液を含む漂白/定着ステーション33、およびそれぞれが洗浄液を含む多数の洗浄ステーション35、37、39を通過し、さらに感光メディアを乾燥させる乾燥部40を通過する。その後、画像の個々のプリントは、各顧客画像注文に対するプリントが、好ましくは各々が個々の顧客画像注文を受け取る別々のビン44a-44fに揃えられる、ソーター42へと送られる。いかなる所望数のビン44も適宜装置10に提供可能であり、さらに、いかなる所望のソーティング評価基準に従ってソートされてもよいことは、理解されるべきである。
【００２０】
通例、CPU(コンピュータ)45は、装置10、およびその様々なコンポーネントの動作を制御するために設けられる。また、表示スクリーン47を含むユーザ/オペレータインタフェース46は、通例に行われるように、装置10の動作および装置のモニター動作に対する指示を、オペレータが入力出来るようにするために設けられる。
【００２１】
IDM 18の動作の制御のために、適切なコンピュータプリントプログラムが提供される。このコンピュータプログラムは、IDM 18に要求されるステップを実行させる装置10へロード可能にする、適切なフォーマットで提供される。特に、コンピュータプログラムは、プリントに先立って、IDM 18が最初に完全な顧客画像注文を取得し、それを格納するように設計されている。本発明のコンテキストでは、顧客注文を処理する場合、赤目、露光不足、露光過度などの欠陥を検出するために、画像をスキャンすることが可能である。その後、IDM 18内へプレプログラムされた、適切なエンハンスメントおよび/または修正のアルゴリズムは、欠陥を修正し、および/または、プリント時の画像の総合的美的外観を改良するために、顧客画像注文へ適用可能となる。いかなる所望のエンハンスメントおよび/または修正も、画像に適用可能であることが理解されるべきである。本発明のコンテキストでは、例えば、ディジタル的にエンハンスされた画像の生成処理は、一例として、フィルム上またはディジタル的のいずれかでキャプチャされた内容を最大にするよう、ピクセル値を変化させることを含み得る。例えば、以下は、適用可能な若干のエンハンスメントであるが、これに制限されない。コントラスト調整、赤目除去、カラーバランス、埃マークまたは掻き傷の除去、シャープネス調整。加えて、クロップおよびズームなどの注文修正は、プログラム、または手動により、ディジタルプリンタに入力可能である。格納されたディジタル画像がエンハンスされた後、それらはプリントのためにプリンタ24に送られる。
【００２２】
ミニラボの使用に加え、図2に示されたように、本発明に従う写真プリントのみならず、インデックスプリントが、大規模ラボを用いることにより実現可能である。図2に示されたように、フィルムを含む顧客注文は、スキャナ500でスキャンされる。そこから、画像のディジタル記録がIDM 501で処理され、オペレータは、任意にプレビューステーション502で画像をプレビュー可能である。顧客注文に基づいて、サービスプリント、インデックスプリントなどを生成するよう、ディジタルプリンタ503は、IDM 501と動作的に関連づけられることが可能である。さらなるオプションとして、インターネット経由でラボへ画像を転送可能であり、さらに、インターネット接続505経由で、画像を顧客のホームコンピュータ、またはさらに離れた場所へも転送可能である。さらなるオプションとして、画像は、キオスク接続経由でIDM 501と動作的に関連づけられる。キオスク503aから受取られ、および/またはキオスク503aへ送られてもよく、または、リモートプリンタ503bへ送られてもよい。
【００２３】
上述のように、ディジタルラボの特徴は、画像に対する適切なエンハンスメントおよび/または修正のアルゴリズムの適用に関する。これらのエンハンスメントアルゴリズムは、画像撮影処理より引き起こされた、画像内の欠陥を修正するために、および/または、プリントに際して画像の総合的美的外観を改良するために、画像に適用される。さらに、上述のように、いかなる所望のエンハンスメントおよび/または修正も、画像に適用可能である。本発明のコンテキストでは、ディジタル的にエンハンスまたは修正された画像作成処理は、一例として、コントラスト調整、赤目除去、カラーバランス、埃マークまたは掻き傷の除去、シャープネス調整、輝度修正、および露光修正などを含むことが可能である。加えて、クロップおよびズームなどの注文修正は、プログラム、または手動により、ディジタルプリンタに入力可能である。
【００２４】
従って、本発明の方法およびシステムの一部として、顧客注文画像は、ディジタルエンハンスメントによって修正され得るいかなる欠陥も検出するよう、読取られ、またはスキャンされる。そうした欠陥がいったん検出されると、画像は適切な画像エンハンスメントアルゴリズムに従って修正され、顧客注文の一部である場合、修正画像を伴う写真プリントが、その後プリントされる。検出のほかに、修正され、および/またはエンハンスされた各画像は、インデックスプリント上にインディケータを提供するために言及される。その後、修正され、および/またはエンハンスされた顧客注文の各画像が、実行された修正/エンハンスメントのタイプを表すインディケータを含むことになる、インデックスプリントが作成される。
【００２５】
図3を参照すると、ここでは、本発明の一例が、赤目除去に関して説明される。図3に示されたように、インデックスプリント100は、顧客注文において顧客により提出された25枚の画像を表す、低解像度画像でもあり得る、25個の小画像またはサムネイル画像を含んでいる。図3の例では、サムネイル画像100a 、l00b、l00c、l00d、l00e、l00fに対応するオリジナルキャプチャ画像は、赤目に関する欠陥を含んでいたことが、顧客の画像の処理中に検出された。これらの画像の処理中に、サムネイル画像l00a‐l00fに関する赤目は、ディジタル的に除去され、顧客注文の一部である場合、修正画像を伴う写真プリントが顧客のためにプリントされる。さらに顧客注文に関して、インデックスプリント100がプリントされ、顧客注文の残りのサムネイル画像のほかに、サムネイル画像l00a-l00fの各々を含む。赤目が除去され各サムネイル画像l00a-l00fは、その上に提供され、適用され、または追加された赤目アイコン200を含んでいる。本発明の特徴において、各サムネイル画像l00a-l00fの隅に、赤目アイコン200をオーバーレイすることが可能である。すなわち、本発明に従う赤目アイコンなどのアイコンは、赤目が検出され、または修正された各サムネイル画像l00a-l00fの近傍または付近のインデックスプリント100上に提供され、適用され、または追加される。
【００２６】
従って、 (顧客注文の一部である場合) 顧客注文の残りの写真プリントと共にインデックスプリント100を受けると、顧客は、赤目アイコン200を通して、サムネイル画像l00a-l00fに対応する各オリジナルキャプチャ画像内で赤目が検出されたのを認識することになる。さらに、顧客は、サムネイル画像l00a-l00fに対応する各々の写真プリントが、各プリント内の画像から赤目を除去することにより修正されたことを認識することになる。これは、顧客に対し、サービスプロバイダーにより、どのプリントまたは画像がエンハンスされたかの迅速かつ容易な指標、およびまた、いかなるタイプの修正が施されたかの迅速かつ容易な指標を提供する。
【００２７】
図4は、本発明に従う、インデックスプリントのさらなる実施例を示している。図4の実施例では、インディケータは、修正が施された領域の周りに提供された、アウトラインの形である。図4のインデックスプリント300は、顧客注文に従うサムネイル画像を含んでいる。これらの画像は、例として、赤目が検出され、および修正された、サムネイル画像300a、300b、300cを含んでいる。顧客に画像から赤目が除去された可視的指標を提供するために、サムネイル画像300a-300cの各々の上に、アウトライン400がオーバーレイされ、または提供される。顧客に、サムネイル画像300a-300cの各々に対応する画像から赤目が除去されたという可視的指標を提供するために、アウトライン400は、赤目が除去された目の周りに提供されるのが好ましい。
【００２８】
図5は、本発明に従う、インデックスプリントのさらなる例を示している。図5のインデックスプリント500は、対応するキャプチャ画像で画像修正が実行された、サムネイル画像500a、500b、500c、500dを含んでいる。図5の実施例では、インディケータは、サムネイル画像500a-500dの各々の周りのカラーフレームなど、フレーム600の形である。フレーム600の形のインディケータは、サムネイル画像500a-500dの各々に対応する画像に、修正が施されたという事実を表す。上述の修正は、赤目の除去であってもよい。
【００２９】
図3に示されたように赤目除去アイコンに関連して、本発明は、示されたような赤目除去または赤目アイコンには制限されない。本発明のコンテキストでは、異なるアイコン、グラフィカルシンボル、または施された修正を表示し、または明示する数値を用いて、様々な画像修正が指示可能である。以下の表1は、図3で述べた赤目インディケータアイコンを含め、使用可能なアイコンまたはグラフィカルシンボルのサンプリングである。
【表１】
2004312720.tif 000003
【００３０】
さらに、図4および図5に示されたように、表1内に記されたアイコンシンボルまたは数字に代えて、または加えて、他のタイプのインディケータが使用可能である。例えば、図4に示されたように、画像の修正領域のアウトラインを提供することも可能であり、または、図5に示されたように、修正を示すために画像の周囲にカラーフレームを提供することも可能である。さらに、サムネイル画像は、修正が施されたという可視的指標を提供するために、サムネイル画像で慣習的に用いられる、フレーム番号上のカラー背景を含むことも可能である。
【００３１】
図6Aから図6Eを参照すると、ここには、小画像またはサムネイル画像に修正が施されたことを示す追加的な方法に加え、上述したアイコン、またはシンボル、または数字の例が示されている。図6Aの例では、修正が施されたことを示すために、ボーダー（border）またはフレーム700が画像の周囲に提供されている。これは、図5のフレーム600に類似している。図6Bに関して、インデックスプリントは、通常、サムネイル画像または小画像の右手下部または左手の隅にフレーム番号を含んでいる。修正が施されたことを示す本発明のインディケータは、図6Bに示されるように、フレーム番号の下に提供される、カラー背景705の形であってもよい。図6 Cを参照すると、インディケータは、図4のアウトライン400に類似した、修正領域の周囲のアウトライン707の形であってよい。
【００３２】
本発明のさらなる特徴には、施された修正のタイプを、視覚的に示すアイコンまたはグラフィカルシンボルを提供することに加え、いくつの修正が施されたかを示す数字も、サムネイル画像上に提供可能である。図6Dの例では、アイコン709に隣接して、数字の「2」などの数字表示711を提供可能である。赤目アイコンの例では、図6Dに示されるような数字表示711により、関連画像から2つの赤目が除去されたことを説明することができる。さらなるオプションとして、および数字表示に関して、最終的なインデックスプリントは、顧客注文における全ての修正画像から除去された、赤目の総数を表す数字を含むことも出来る。
【００３３】
本発明のさらなる特徴では、画像に複数の修正および/またはエンハンスメントが実行された場合、本発明は、図6 Eに示されたように、関連画像のエッジに沿って、カラーコード化された形状、アイコン、またはグラフィカルシンボルのコラム730を提供可能である。図6Eの例では、アイコンは、赤目、輝度、および露光過度などについて、関連画像が修正されていることを表すことが出来る。
【００３４】
本発明のさらなる特徴では、図6Dに示される数字表示が、施されたエンハンスメントの格付け、または量を表わすこともある。すなわち、赤目または欠陥の激しさを表すために、既知のアルゴリズムを用い、赤目または欠陥の最も激しいケースを10として、修正を1から10までの尺度で格付けし得る。このオプションでは、インディケータと数字表示との組み合わせが、アイコンの使用を通してどのタイプの修正が施されたのかを説明するのみならず、修正量の格付けを提供するよう、例えば数字を用いるなどして、欠陥の程度の激しさを明示する。従って、図6Dの例では、アイコン709により、画像から赤目を検出し、それを修正したことが表示可能となり、同時に数字「2」により、1から10までの尺度において、当該赤目の程度はさほど激しいものではなかったことも表示可能となる。
【００３５】
図7および図8を参照すると、ここでは、サムネイル画像または小画像を用いて、画像に対して施された修正についての情報を顧客に提供する、異なる実施例が示されている。図7の例では、写真プリント800は、対応するキャプチャ画像に実行されたような画像改良または修正の形での画像処理が存在する、代表的なサムネイル画像802a-802fを含む、一方の側またはセクション800aを含んでいる。写真プリント800の第2の側800bは、画像がどう改良されたかを示す並列サンプル画像803、804、情報部分805、および広告部分806を含んでもよい。さらに、画像目視を容易にし、プリントを情報的プリントとして特定するために、写真プリント800の背景を暗くすることも可能である。
【００３６】
図8を参照すると、インデックスプリント900は、図2、図3、および図4のインデックスプリントと同様に、図示のように、拡張部分またはパート900aを含むよう、拡張可能である。パート900aは、選択されたサムネイル画像に施された修正に関する情報セクション902と共に、どの修正が施されたかをより明確に詳細に示す、修正画像のより大きなバージョン904を含むことも可能である。例として、情報セクションで提供される情報は、使用されるアイコン、および施された修正のタイプを明示するキャプションを含むことも出来る。
【００３７】
従って、本発明は、赤目修正などの改良またはエンハンスメントが施された方法で処理された、選択されたサムネイル画像または小画像上、またはその近傍に、肉眼による読み取りが可能なインディケータを含む、インデックスプリントを提供し、さらにそのインデックスプリントの作成方法を提供する。インディケータは、画像上に施された改良についての情報を顧客に提供するために、画像に施された改良のタイプを表す。
【図面の簡単な説明】
【００３８】
【図１】本発明に従って、プリントを作成するのに使用可能な装置の概略図である。
【図２】本発明に従って、プリントを作成するのに使用可能な、さらなる処理システムまたは写真仕上げシステムの概略図である。
【図３】本発明の第1の実施例に従う、インディケータを伴うインデックスプリントを示す図である。
【図４】本発明の第2の実施例に従う、インディケータを伴うインデックスプリントを示す図である。
【図５】本発明の第3の実施例に従う、インディケータを伴うインデックスプリントを示す図である。
【図６Ａ】インデックスプリントの単一のサムネイル画像または小画像を示す、本発明で使用可能なインディケータの例を示す図である。
【図６Ｂ】インデックスプリントの単一のサムネイル画像または小画像を示す、本発明で使用可能なインディケータの例を示す図である。
【図６Ｃ】インデックスプリントの単一のサムネイル画像または小画像を示す、本発明で使用可能なインディケータの例を示す図である。
【図６Ｄ】インデックスプリントの単一のサムネイル画像または小画像を示す、本発明で使用可能なインディケータの例を示す図である。
【図６Ｅ】インデックスプリントの単一のサムネイル画像または小画像を示す、本発明で使用可能なインディケータの例を示す図である。
【図７】本発明に従う、さらなる実施例の例を示す図である。
【図８】本発明のさらなる実施例を示す図である。
【符号の説明】
【００３９】
12  スキャナ
50  入力装置
52  入力装置
54  入力装置
500  スキャナ
501  画像データマネージャ
502プレビューステーション
503  ディジタルプリンタ
503a  キオスク
503b  プリンタ
505  インターネット
【図１】
2004312720.tif 000004
【図２】
2004312720.tif 000005
【図３】
2004312720.tif 000006
【図４】
2004312720.tif 000007
【図５】
2004312720.tif 000008
【図６Ａ】
2004312720.tif 000009
【図６Ｂ】
2004312720.tif 000010
【図６Ｃ】
2004312720.tif 000011
【図６Ｄ】
2004312720.tif 000012
【図６Ｅ】
2004312720.tif 000013
【図７】
2004312720.tif 000014
【図８】
2004312720.tif 000015